(57)【要約】【課題】塵埃の多い環境下であっても、除菌性水溶液を噴霧する噴霧器の噴霧性能を保持し、故障の発生を抑制することができる噴霧器用防塵ケースおよび防塵性噴霧システムを提供する。【解決手段】次亜塩素酸水等の除菌性水溶液を噴霧する噴霧器２を収容するための防塵ケース１であって、合板によって箱状に形成されており、その正面に設けられた保守作業用開口部１１が、上下にスライドするケンドン式の前扉１２で防塵されている。。【選択図】  図２
2020022701.tif 000002
【特許請求の範囲】
【請求項１】
次亜塩素酸水等の除菌性水溶液を噴霧する噴霧器を収容するための防塵ケースであって、
合板によって箱状に形成されており、
その正面に設けられた保守作業用開口部が、上下にスライドするケンドン式の前扉で防塵されている、噴霧器用防塵ケース。
【請求項２】
前記保守作業用開口部には、その左右両端部の内縁に沿って防塵可能な深さの溝状に形成された密閉式ガイドレールが設けられているとともに、その下端部の内縁に沿って防塵可能な深さの溝状に形成された密閉式嵌入溝が前記密閉式ガイドレールと連続的に設けられており、
前記密閉式ガイドレールは、前記保守作業用開口部の左右両端部の上下全体にわたって内方に突出された前後一対のレール部材により防塵可能な深さの溝状に形成されており、
前記密閉式嵌入溝は、前記保守作業用開口部の下端部の左右全体にわたって内方に突出された前後一対のレール部材により防塵可能な深さの溝状に形成されている、請求項１に記載の噴霧器用防塵ケース。
【請求項３】
前記噴霧器用防塵ケースには、前記保守作業用開口部に対して奥側上方位置に、前記噴霧器に前記除菌性水溶液を供給するためのタンクを載置するタンク載置棚が設けられているとともに、このタンク載置棚の上方の天板には、前記タンクに前記除菌性水溶液を補給するために開口された補給作業用開口部と、この補給作業用開口部を開閉する天板開閉蓋とが設けられており、
前記補給作業用開口部の内縁部と前記天板開閉蓋の裏面との隙間には、前記補給作業用開口部と前記天板開閉蓋との隙間を閉塞するために内方に突出された閉塞フレームが前記補給作業用開口部の内縁部に沿って設けられている、請求項１または請求項２に記載の噴霧器用防塵ケース。
【請求項４】
前記噴霧器用防塵ケースの内部底面には、凍結防止ヒーターの脚部を両側から把持して固定するための一対のヒーター固定フレームが、前記保守作業用開口部の近傍位置において当該開口部に対して前後方向に沿って配置されている、請求項１から請求項３のいずれかに記載の噴霧器用防塵ケース。
【請求項５】
請求項１から請求項４のいずれかに記載の噴霧器用防塵ケースに噴霧器を搭載してなる防塵性噴霧システムであって、
前記噴霧器用防塵ケースには、前記保守作業用開口部と対向する一側面に防塵フィルタ付の換気口が設けられており、
前記換気口の前方に設けられた前記タンク載置棚に前記タンクが載置されているとともに、このタンクよりも前方側であって前記保守作業用開口部の近傍位置には、前記噴霧器が防塵フィルタ付の吸気口を前記保守作業用開口部に向けた状態で配置されてなる、防塵性噴霧システム。
【請求項６】
前記噴霧器の上方には、前記除菌性水溶液を噴霧するための噴霧用ホースが接続されているとともに、当該噴霧用ホースが噴霧器用防塵ケースの天板に開口されたホース孔から外部に延出されており、
前記噴霧器用防塵ケース内には、前記ヒーター固定フレームに凍結防止ヒーターが搭載されており、当該凍結防止ヒーターおよび前記噴霧器の上方に、前記タンクおよび前記噴霧用ホース内における前記除菌性水溶液の凍結を防止するための保温空間が設けられている、請求項５に記載の防塵性噴霧システム。
【発明の詳細な説明】
【技術分野】
【０００１】
本発明は、次亜塩素酸水等の除菌性水溶液を噴霧する噴霧器を収容するための噴霧器用防塵ケース、および当該噴霧器用防塵ケースに噴霧器を搭載してなる防塵性噴霧システムに関するものである。
【背景技術】
【０００２】
従来、馬・牛・豚・鶏等の家畜を飼育する畜舎内においては、細菌による感染症の発生が問題となっている。特に、生後間もない家畜は感染症にかかりやすく、一旦発症すると、他の家畜にも次々と感染するため、死亡や廃用による損失金額が甚大となる。そこで近年、畜舎内において、次亜塩素酸水等の除菌性水溶液を噴霧することにより、家畜の飼育環境を改善し、感染症等の病気を予防する試みが行われている。
【０００３】
なお、次亜塩素酸水等を噴霧することによって空気を除菌する技術として、例えば、特開２００３−１６９８４２号公報には、次亜塩素酸水溶液貯留部内の次亜塩素酸水溶液に対して超音波振動子によって超音波を作用させ、微粒子発生部で次亜塩素酸水溶液の微粒子を発生させ、この微粒子を誘導管路によって噴霧口から大気中に放出する殺菌装置が開示されている（特許文献１）。
【先行技術文献】
【特許文献】
【０００４】
【特許文献１】特開２００３−１６９８４２号公報
【発明の概要】
【発明が解決しようとする課題】
【０００５】
しかしながら、特許文献１に記載された殺菌装置は、病院内等のクリーンな環境下での使用を想定しているため、外気取入れ口が単なる開口によって構成されている（図１等）。このため、畜舎内等のように塵埃の多い環境下で使用すると、装置内部に塵埃が蓄積して噴霧性能が低下したり、故障が発生し易くなるという問題がある。
【０００６】
また、細菌による感染症が多発する時期は、冬期間の気温が低下する時期や乾燥する時期であるところ、北海道や東北等の寒冷地における畜舎内は氷点下まで気温が低下するため、タンク内の除菌性水溶液が凍ってしまい、噴霧できなくなってしまうという問題も抱えている。
【０００７】
本発明は、このような問題点を解決するためになされたものであって、塵埃の多い環境下であっても、除菌性水溶液を噴霧する噴霧器の噴霧性能を保持し、故障の発生を抑制することができる噴霧器用防塵ケースおよび防塵性噴霧システムを提供する。また、本発明は、寒冷地における除菌性水溶液の凍結を防止して噴霧機能を維持することもできる防塵性噴霧システムを提供する。
【課題を解決するための手段】
【０００８】
本発明に係る噴霧器用防塵ケースは、塵埃の多い環境下であっても、除菌性水溶液を噴霧する噴霧器の噴霧性能を保持し、故障の発生を抑制するという課題を解決するために、次亜塩素酸水等の除菌性水溶液を噴霧する噴霧器を収容するための防塵ケースであって、合板によって箱状に形成されており、その正面に設けられた保守作業用開口部が、上下にスライドするケンドン式の前扉で防塵されている。
【０００９】
また、本発明の一態様として、前扉を容易に着脱させ、防塵性の高い保守作業用開口部を構成するという課題を解決するために、前記保守作業用開口部には、その左右両端部の内縁に沿って防塵可能な深さの溝状に形成された密閉式ガイドレールが設けられているとともに、その下端部の内縁に沿って防塵可能な深さの溝状に形成された密閉式嵌入溝が前記密閉式ガイドレールと連続的に設けられており、前記密閉式ガイドレールは、前記保守作業用開口部の左右両端部の上下全体にわたって内方に突出された前後一対のレール部材により防塵可能な深さの溝状に形成されており、前記密閉式嵌入溝は、前記保守作業用開口部の下端部の左右全体にわたって内方に突出された前後一対のレール部材により防塵可能な深さの溝状に形成されていてもよい。
【００１０】
さらに、本発明の一態様として、補給作業用開口部における防塵性を向上するという課題を解決するために、前記噴霧器用防塵ケースには、前記保守作業用開口部に対して奥側上方位置に、前記噴霧器に前記除菌性水溶液を供給するためのタンクを載置するタンク載置棚が設けられているとともに、このタンク載置棚の上方の天板には、前記タンクに前記除菌性水溶液を補給するために開口された補給作業用開口部と、この補給作業用開口部を開閉する天板開閉蓋とが設けられており、前記補給作業用開口部の内縁部と前記天板開閉蓋の裏面との隙間には、前記補給作業用開口部と前記天板開閉蓋との隙間を閉塞するために内方に突出された閉塞フレームが前記補給作業用開口部の内縁部に沿って設けられていてもよい。
【００１１】
また、本発明の一態様として、除菌性水溶液が凍結するのを防止する凍結防止ヒーターを容易に着脱するという課題を解決するために、前記噴霧器用防塵ケースの内部底面には、凍結防止ヒーターの脚部を両側から把持して固定するための一対のヒーター固定フレームが、前記保守作業用開口部の近傍位置において当該開口部に対して前後方向に沿って配置されていてもよい。
【００１２】
また、本発明に係る防塵性噴霧システムは、防塵性能を向上するとともに、噴霧器の保守作業を効率化するという課題を解決するために、上述したいずれかの態様を有する噴霧器用防塵ケースに噴霧器を搭載してなる防塵性噴霧システムであって、前記噴霧器用防塵ケースには、前記保守作業用開口部と対向する一側面に防塵フィルタ付の換気口が設けられており、前記換気口の前方に設けられた前記タンク載置棚に前記タンクが載置されているとともに、このタンクよりも前方側であって前記保守作業用開口部の近傍位置には、前記噴霧器が防塵フィルタ付の吸気口を前記保守作業用開口部に向けた状態で配置されてなる。
【００１３】
また、本発明の一態様として、タンクや噴霧用ホース内の除菌性水溶液が凍結するのを防止し、冬期においても除菌性水溶液を継続的に噴霧するという課題を解決するために、前記噴霧器の上方には、前記除菌性水溶液を噴霧するための噴霧用ホースが接続されているとともに、当該噴霧用ホースが噴霧器用防塵ケースの天板に開口されたホース孔から外部に延出されており、前記噴霧器用防塵ケース内には、前記ヒーター固定フレームに凍結防止ヒーターが搭載されており、当該凍結防止ヒーターおよび前記噴霧器の上方に、前記タンクおよび前記噴霧用ホース内における前記除菌性水溶液の凍結を防止するための保温空間が設けられていてもよい。
【発明の効果】
【００１４】
本発明によれば、塵埃の多い環境下であっても、除菌性水溶液を噴霧する噴霧器の噴霧性能を保持し、故障の発生を抑制することができる。また、寒冷地における除菌性水溶液の凍結を防止して噴霧機能を維持することができる。
【図面の簡単な説明】
【００１５】
【図１】本発明に係る噴霧器用防塵ケースの一実施形態を示す（ａ）平面図、（ｂ）側面図、（ｃ） 背面図および（ｄ）正面図である。
【図２】本実施形態の噴霧器用防塵ケースに噴霧器、タンクおよび凍結防止ヒーターを搭載してなる防塵性噴霧システムを示す（ａ）図１（ｂ）のＡ−Ａ線断面図、（ｂ）図１（ａ）のＢ−Ｂ線断面図、および（ｃ）図１（ｂ）のＣ−Ｃ線断面図である。
【図３】本実施形態の防塵性噴霧システムにおいて、前扉を開いた状態を示す写真である。
【図４】本実施形態の防塵性噴霧システムにおいて、天板開閉蓋を開いた状態を示す写真である。
【発明を実施するための形態】
【００１６】
以下、本発明に係る噴霧器用防塵ケースおよび防塵性噴霧システムの実施形態について図面を用いて説明する。
【００１７】
本実施形態の噴霧器用防塵ケース１は、次亜塩素酸水等の除菌性水溶液を噴霧する噴霧器２を収容するためのものであり、図１に示すように、合板によって略直方体形状に形成されている。また、本実施形態の防塵性噴霧システム１０は、図２に示すように、噴霧器用防塵ケース１に噴霧器２を搭載してなるものであり、台車３等によって移動可能に構成されている。以下、各構成について説明する。
【００１８】
なお、本実施形態において、除菌性水溶液としては、次亜塩素酸水を使用しているが、これに限定されるものではなく、除菌作用を有する液体であればよい。また、噴霧器２としては、超音波によって除菌性水溶液をミスト状にする超音波式の噴霧器２を使用しているが、これに限定されるものではなく、除菌性水溶液を噴霧できるものであればよい。さらに、合板としては、ウレタン塗装を施したランバーコアを使用し、噴霧器用防塵ケース１の撥水性を高めているが、これに限定されるものではなく、保温性の高い合板であればよい。
【００１９】
噴霧器用防塵ケース１は、図１に示すように、その正面に、噴霧器２の保守作業を行うために開口されてなる保守作業用開口部１１と、この保守作業用開口部１１を開閉する前扉１２とを有している。そして、保守作業用開口部１１が、上下にスライドするケンドン式の前扉１２で防塵されている。
【００２０】
具体的には、保守作業用開口部１１には、図２に示すように、その左右両端部の内縁に沿って防塵可能な深さの溝状に形成された密閉式ガイドレール１３が設けられている。また、保守作業用開口部１１には、その下端部の内縁に沿って防塵可能な深さの溝状に形成された密閉式嵌入溝１４が、密閉式ガイドレール１３と連続的に設けられている。一方、前扉１２は、密閉式ガイドレール１３に沿って上下に着脱自在にスライドし、密閉式嵌入溝１４に嵌入されて保守作業用開口部１１を密閉するようになっている。
【００２１】
本実施形態において、密閉式ガイドレール１３は、図２に示すように、保守作業用開口部１１の左右両端部の上下全体にわたって内方に突出された前後一対のレール部材１３ａ，１３ａで構成されており、各レール部材１３ａの壁面により防塵可能な深さの溝状に形成されている。また、密閉式嵌入溝１４は、保守作業用開口部１１の下端部の左右全体にわたって内方に突出された前後一対のレール部材１４ａ，１４ａで構成されており、各レール部材１４ａの壁面により防塵可能な深さの溝状に形成されている。
【００２２】
また、噴霧器用防塵ケース１には、図２に示すように、保守作業用開口部１１に対して奥側上方位置に、噴霧器２に除菌性水溶液を供給するためのタンク４を載置するタンク載置棚１５が設けられている。そして、当該タンク載置棚１５の上方の天板には、タンク４に除菌性水溶液を補給するために開口された補給作業用開口部１６と、この補給作業用開口部１６を開閉する天板開閉蓋１７とが設けられている。
【００２３】
また、補給作業用開口部１６の内縁部と天板開閉蓋１７の裏面との隙間には、図１（ａ）および図２（ｂ）に示すように、閉塞フレーム１８が設けられている。この閉塞フレーム１８は、補給作業用開口部１６と天板開閉蓋１７との隙間を閉塞するために内方に突出されており、補給作業用開口部１６の内縁部に沿って略矩形状に設けられている。
【００２４】
なお、本実施形態では、図１（ａ）に示すように、保守作業用開口部１１に対して左右方向に沿う一対の横閉塞フレーム１８ａ，１８ａが、補給作業用開口部１６の内縁部側に固定され、保守作業用開口部１１に対して前後方向に沿う一対の縦閉塞フレーム１８ｂ，１８ｂが、天板開閉蓋１７の裏面側に固定されている。しかしながら、この構成に限定されるものではなく、閉塞フレーム１８が、補給作業用開口部１６と天板開閉蓋１７との隙間を漏れなく閉塞する位置に設けられていればよい。例えば、補給作業用開口部１６の内縁部または天板開閉蓋１７の裏面のいずれか一方のみに、閉塞フレーム１８が設けられていてもよい。
【００２５】
なお、本実施形態では、図２（ｂ）に示すように、天板開閉蓋１７が、天板の略中央に設けられたヒンジ機構によって開閉可能に設けられているが、この構成に限定されるものではなく、取り外し可能に構成されていてもよい。
【００２６】
また、本実施形態において、噴霧器用防塵ケース１には、図１（ｂ），（ｃ）に示すように、保守作業用開口部１１と対向する一側面に防塵フィルタＦ付の換気口１９が設けられている。この換気口１９の防塵フィルタＦは面ファスナーによって容易に交換可能に取り付けられている。そして、この換気口１９の前方（図２（ａ）の右方向）には、図２（ａ），（ｂ）に示すように、噴霧器２よりも上方位置にタンク載置棚１５が設けられており、当該タンク載置棚１５に換気口１９と向かい合う状態でタンク４が載置されるようになっている。
【００２７】
なお、本実施形態では、図２（ａ）に示すように、タンク４よりも前方側（図２（ａ）の右方向側）であって保守作業用開口部１１の近傍位置には、噴霧器２の位置ズレを防止するための噴霧器固定フレーム２０が略長方形状に設けられている。そして、当該噴霧器固定フレーム２０には、噴霧器２が防塵フィルタＦ付きの吸気口２１を保守作業用開口部１１に向けた状態で配置されるようになっている。同様に、タンク載置棚１５の載置面上には、タンク４の位置ズレを防止するためのタンク固定フレーム２２が設けられている。当該タンク固定フレーム２２は、噴霧器用防塵ケース１の内側面との間に、タンク４の横幅と同程度の載置スペースを形成するように配置されている。
【００２８】
さらに、本実施形態において、噴霧器用防塵ケース１の内部底面には、図２（ａ），（ｃ）に示すように、凍結防止ヒーター５を固定するための一対のヒーター固定フレーム２３，２３が設けられている。このヒーター固定フレーム２３は、凍結防止ヒーター５の脚部を両側から把持して固定するためのものであり、保守作業用開口部１１の近傍位置において、当該保守作業用開口部１１に対して前後方向に沿って配置されている。具体的には、図２（ｃ）に示すように、各ヒーター固定フレーム２３は、凍結防止ヒーター５の脚部に合わせた断面鉤爪状に形成され、互いに向かい合う状態で固定されている。
【００２９】
なお、本実施形態では、凍結防止ヒーター５として、小型のパネルヒーターを使用しているが、これに限定されるものではなく、噴霧器用防塵ケース１に収容可能な暖房器具であればよい。また、ヒーター固定フレーム２３の形状も特に限定されるものではなく、凍結防止ヒーター５を固定しうる形状であればよい。さらに、除菌性水溶液が凍結するおそれのない地域では、凍結防止ヒーター５自体が不要のため、ヒーター固定フレーム２３を設ける必要がない。
【００３０】
また、本実施形態において、噴霧器２の上方には、図２（ｂ），（ｃ）に示すように、除菌性水溶液を噴霧するための噴霧用ホース２４が接続されている。そして、当該噴霧用ホース２４が噴霧器用防塵ケース１の天板に開口されたホース孔２５から外部に延出されている。以上のような噴霧器用防塵ケース１内のヒーター固定フレーム２３に凍結防止ヒーター５を搭載してなる防塵性噴霧システム１０においては、図２（ｂ）に示すように、凍結防止ヒーター５および噴霧器２の上方に、タンク４および噴霧用ホース２４内における除菌性水溶液の凍結を防止するための保温空間２６が設けられている。
【００３１】
なお、ホース孔２５の形状や位置は、図示したものに限定されるものではなく、噴霧器２に付属する噴霧用ホース２４の形状等に応じて、適宜変更してもよい。例えば、ホース孔２５の形状は円形に限らず、四角形や多角形でもよい。また、噴霧用ホース２４としては、硬質スパイラルダクトを使用しているが、除菌性水溶液の通路となるダクト状のものであればよい。
【００３２】
つぎに、本実施形態の噴霧器用防塵ケース１および防塵性噴霧システム１０の作用について説明する。
【００３３】
本実施形態の防塵性噴霧システム１０を用いて、冬期における畜舎内に除菌性水溶液を噴霧する場合、まず、噴霧器用防塵ケース１の保守作業用開口部１１から噴霧器２、タンク４および凍結防止ヒーター５を内部に搭載する。このとき、噴霧器２は噴霧器固定フレーム２０内に載置され、タンク４はタンク固定フレーム２２に当接され、凍結防止ヒーター５はヒーター固定フレーム２３によって固定されるため、それぞれ位置ズレが防止される。
【００３４】
また、本実施形態では、ヒーター固定フレーム２３が、保守作業用開口部１１の近傍位置にあるため、凍結防止ヒーター５の取り付け・取り外し作業がしやすく、前後方向に沿って配置されているため、凍結防止ヒーター５を前後方向にスライドさせるだけで容易に着脱される。さらに、本実施形態では、噴霧器２よりも上方位置に設けられたタンク載置棚１５にタンク４を載置することにより、除菌性水溶液が重力によって噴霧器２に供給されるため、ポンプ等が不要である。
【００３５】
つぎに、保守作業用開口部１１の密閉式ガイドレール１３に沿って前扉１２を下方へスライドさせ、その下端縁部を密閉式嵌入溝１４に嵌入させる。これにより、前扉１２が、防塵可能な深さの溝状に形成された密閉式ガイドレール１３および密閉式嵌入溝１４に嵌入された状態で保守作業用開口部１１を密閉する。このため、塵埃の多い環境下で使用しても噴霧器２の噴霧性能が保持され、故障の発生が抑制される。
【００３６】
また、本実施形態では、密閉式ガイドレール１３が、保守作業用開口部１１の左右両端部の上下全体にわたって内方に突出された前後一対のレール部材１３ａ，１３ａにより形成されており、密閉式嵌入溝１４が、保守作業用開口部１１の下端部の左右全体にわたって内方に突出された前後一対のレール部材１４ａ，１４ａによって形成されている。このため、密閉式ガイドレール１３および密閉式嵌入溝１４は、前扉１２を容易に着脱させる構成でありながら、保守作業用開口部１１の防塵性をより一層高めている。
【００３７】
つづいて、噴霧器２を動作させると、ミスト状の除菌性水溶液が噴霧用ホース２４から畜舎内へ噴霧される。このとき、凍結防止ヒーター５を動作させることにより、噴霧器用防塵ケース１内の保温空間２６が、暖められた空気によってタンク４および噴霧用ホース２４内における除菌性水溶液の凍結を防止する。このため、畜舎内が氷点下となるような寒冷地域や冬期間においても、除菌性水溶液が凍結することがなく、継続的に噴霧させることが可能となる。
【００３８】
除菌性水溶液が噴霧されている間、噴霧器２の吸気口２１から空気が吸い込まれるとともに、噴霧器用防塵ケース１の換気口１９から空気が吸い込まれる。このとき、当該換気口１９に取り付けられた防塵フィルタＦが、噴霧器用防塵ケース１内に塵埃が入るのを防止し、吸気口２１に取り付けられた防塵フィルタＦが、噴霧器２内に塵埃が入るのを防止する。さらに、換気口１９と向かい合う状態で載置されたタンク４が、換気口１９をすり抜けた微細な塵埃をブロックし、噴霧器用防塵ケース１内に拡散するのを防止する。
【００３９】
なお、防塵フィルタＦをこまめに交換ないし洗浄することにより、噴霧器２のファンモーターに大きな負荷がかかることが防止される。このとき、本実施形態では、図３に示すように、噴霧器２が保守作業用開口部１１の近傍位置に、吸気口２１を保守作業用開口部１１に向けた状態で配置されるため、防塵フィルタＦの確認や交換等の保守作業が容易である。
【００４０】
また、天板開閉蓋１７を開けると、図４に示すように、補給作業用開口部１６からタンク４が露出するため、簡単かつ迅速に除菌性水溶液の補給作業が行われる。一方、天板開閉蓋１７を閉めると、閉塞フレーム１８が、補給作業用開口部１６と天板開閉蓋１７との隙間を閉塞し、塵埃の侵入を防止する。これにより、補給作業用開口部１６における防塵性が向上するため、噴霧器用防塵ケース１自体の防塵性能が向上する。
【００４１】
以上のような本実施形態によれば、以下のような効果を奏する。
１．畜舎内や工場内等の塵埃の多い環境下であっても、除菌性水溶液を噴霧する噴霧器２の噴霧性能を保持し、故障の発生を抑制することができる。
２．前扉１２を容易に着脱させ、防塵性の高い密閉式ガイドレール１３および密閉式嵌入溝１４を構成することができる。
３．補給作業用開口部１６における防塵性を向上することができる。
４．凍結防止ヒーター５を容易に着脱することができる。
５．防塵性能を向上するとともに、噴霧器２の保守作業を効率化することができる。
６．タンク４や噴霧用ホース２４内の除菌性水溶液が凍結するのを防止し、氷点下となる地域や時期においても除菌性水溶液を継続的に噴霧することができる。
７．噴霧器２にタイマーを設け、間欠的に除菌性水溶液を噴霧することで、人手が足りない酪農・畜産業における畜舎内の現場に貢献することができる。例えば、１００Ｌのタンク４を用いて、１５分おきに噴霧と停止を繰り返す運転を行わせることより、２．５日間は人手要らずとなる。
【００４２】
なお、本発明に係る噴霧器用防塵ケース１および防塵性噴霧システム１０は、前述した実施形態に限定されるものではなく、適宜変更することができる。
【００４３】
例えば、上述した本実施形態では、密閉式ガイドレール１３および密閉式嵌入溝１４が、前後一対のレール部材によって形成されているが、この構成に限定されるものではない。例えば、密閉式ガイドレール１３は、保守作業用開口部１１の左右両端部における内壁面に形成した上下方向の凹溝によって構成し、密閉式嵌入溝１４は、保守作業用開口部１１の下端部における内壁面に形成した左右方向の凹溝によって構成してもよい。
【００４４】
また、上述した本実施形態では、補給作業用開口部１６および天板開閉蓋１７を、噴霧器用防塵ケース１の天板に設けているが、この構成に限定されるものではない。例えば、保守作業用開口部１１と同様、噴霧器用防塵ケース１の一側面に補給作業用開口部１６を設けるとともに、当該補給作業用開口部１６に対して密閉式ガイドレール１３および密閉式嵌入溝１４を設け、当該密閉式ガイドレール１３に沿って上下に着脱自在にスライドし、密閉式嵌入溝１４に嵌入されて補給作業用開口部１６を密閉する開閉蓋を設けてもよい。
【００４５】
さらに、上述した本実施形態では、氷点下での使用を想定し、噴霧器用防塵ケース１内に凍結防止ヒーター５を搭載している。しかしながら、温暖な地域や時期に使用する場合には、凍結防止ヒーター５を設ける必要はない。また、上述した本実施形態では、畜舎内を除菌対象としているが、ビニールハウスや各種の工場等のように、塵埃の多い全ての空間に適用可能である。
【符号の説明】
【００４６】
１  噴霧器用防塵ケース
２  噴霧器
３  台車
４  タンク
５  凍結防止ヒーター
１０  防塵性噴霧システム
１１  保守作業用開口部
１２  前扉
１３  密閉式ガイドレール
１３ａ  レール部材
１４  密閉式嵌入溝
１４ａ  レール部材
１５  タンク載置棚
１６  補給作業用開口部
１７  天板開閉蓋
１８  閉塞フレーム
１８ａ  横閉塞フレーム
１８ｂ  縦閉塞フレーム
１９  換気口
２０  噴霧器固定フレーム
２１  吸気口
２２  タンク固定フレーム
２３  ヒーター固定フレーム
２４  噴霧用ホース
２５  ホース孔
２６  保温空間
Ｆ  防塵フィルタ
【図１】
2020022701.tif 000003
【図２】
2020022701.tif 000004
【図３】
2020022701.tif 000005
【図４】
2020022701.tif 000006
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
次亜塩素酸水等の除菌性水溶液を噴霧する噴霧器を収容するための噴霧器用防塵ケースであって、
合板によって箱状に形成されているとともに、その正面に設けられた保守作業用開口部が、上下にスライドするケンドン式の前扉で防塵されており、
前記噴霧器用防塵ケース内には、前記噴霧器とこの噴霧器に前記除菌性水溶液を供給するためのタンクとが搭載されるとともに、前記噴霧器用防塵ケースには前記噴霧器に接続される噴霧用ホースを外部に延出するためのホース孔が形成されており、
前記噴霧器がファンモーターによって吸気口から空気を吸い込みつつ前記タンク内の前記除菌性水溶液を前記噴霧用ホースから噴霧するものであり、
前記噴霧器用防塵ケースには、前記タンクに前記除菌性水溶液を補給するために開口された補給作業用開口部と、この補給作業用開口部を開閉する天板開閉蓋とが設けられており、
前記補給作業用開口部の内縁部と前記天板開閉蓋の裏面との隙間には、前記補給作業用開口部と前記天板開閉蓋との隙間を閉塞するために内方に突出された閉塞フレームが前記補給作業用開口部の内縁部に沿って設けられている、噴霧器用防塵ケース。
【請求項２】
前記保守作業用開口部には、その左右両端部の内縁に沿って防塵可能な深さの溝状に形成された密閉式ガイドレールが設けられているとともに、その下端部の内縁に沿って防塵可能な深さの溝状に形成された密閉式嵌入溝が前記密閉式ガイドレールと連続的に設けられており、
前記密閉式ガイドレールは、前記保守作業用開口部の左右両端部の上下全体にわたって内方に突出された前後一対のレール部材により防塵可能な深さの溝状に形成されており、
前記密閉式嵌入溝は、前記保守作業用開口部の下端部の左右全体にわたって内方に突出された前後一対のレール部材により防塵可能な深さの溝状に形成されている、請求項１に記載の噴霧器用防塵ケース。
【請求項３】
前記噴霧器用防塵ケースの内部底面には、凍結防止ヒーターの脚部を両側から把持して固定するための一対のヒーター固定フレームが、前記保守作業用開口部の近傍位置において当該開口部に対して前後方向に沿って配置されている、請求項１または請求項２に記載の噴霧器用防塵ケース。
【請求項４】
次亜塩素酸水等の除菌性水溶液を噴霧する噴霧器を収容するための噴霧器用防塵ケースに噴霧器を搭載してなる防塵性噴霧システムであって、
前記噴霧器用防塵ケースは、合板によって箱状に形成されているとともに、その正面に設けられた保守作業用開口部が、上下にスライドするケンドン式の前扉で防塵されており、
前記噴霧器用防塵ケース内には、前記噴霧器とこの噴霧器に前記除菌性水溶液を供給するためのタンクとが搭載されるとともに、前記噴霧器用防塵ケースには前記噴霧器に接続される噴霧用ホースを外部に延出するためのホース孔が形成されており、
前記噴霧器がファンモーターによって吸気口から空気を吸い込みつつ前記タンク内の前記除菌性水溶液を前記噴霧用ホースから噴霧するものであり、
前記噴霧器用防塵ケースには、前記保守作業用開口部と対向する一側面に防塵フィルタ付の換気口が設けられており、
前記換気口の前方には前記タンクが載置されているとともに、このタンクよりも前方側であって前記保守作業用開口部の近傍位置には、前記噴霧器が防塵フィルタ付の前記吸気口を前記保守作業用開口部に向けた状態で配置されてなる、防塵性噴霧システム。
【請求項５】
前記噴霧器用防塵ケース内には、凍結防止ヒーターが搭載されており、当該凍結防止ヒーターおよび前記噴霧器の上方に、前記タンクおよび前記噴霧用ホース内における前記除菌性水溶液の凍結を防止するための保温空間が設けられている、請求項４に記載の防塵性噴霧システム。